(57)【要約】【課題】  回転アシスト付きドライバーは基本的に専用のドライバーのみ使用できるようになっています。具体的に説明すると、回転アシストの力が伝わり易いように、回転アシストのドライバー接続部は四角であり、サイズも固定されており、従ってドライバーも、それに対応した四角い接続用形状で、サイズも上記に対応したサイズのみになっています。  上記種類のドライバーだけでは、種類が十分とはいえません。市販されているドライバーには様々な形状、大きさ、ビットの種類等がありますし、個人の好みもありますので、それらも接続できるようになれば、バリエーションが増え、より便利になります。【解決手段】  様々な形状のドライバーをしっかりと保持固定できるアダプターを作製する。  アダプターがあれば、回転アシスト付きドライバー等で多種類のドライバーが使用可能になる。【選択図】図５
2011042026.tif 000002
【特許請求の範囲】
【請求項１】
凸形状の金属等の硬い板をベースにし、両サイドの一段低い所に板状の押さえ板を直角に配し、ボルトで止め、Ｕの字形状にします。
凸板の平たい箇所は使用する予定のドライバーの直径より若干狭くしてあり、不使用時あるいは使用前はその横に固定している押さえ板を緩くボルトで固定し、ドライバーの直径より大きめにされている。
使用時はドライバーの柄の頭部分をそのＵの字の中に入れてサイドのボルトを締めていくと、サイドの板が閉まり、ドライバーを押さえて保持する。
押さえ板の内側には溝がきってあり、ドライバーの柄の部分の１部分がその溝内部に収まったり、引っかかったりすることでドライバーの保持力が高まるようになっている。
又、押さえ板はベース板に対して直角なので、仮にそれを縦方向に直角とすると、ドライバーは縦方向に直角に保持し易くなっているが、押さえ板の溝は凸板の平らな部分に対して直角に切ってあり、ドライバーは溝に食い込むように保持されるので横方向にも直角に保持し易くなっている。
更に、その押さえ板には複数個のネジが取り付け可能で、ネジを締めることにより各ネジがドライバーを押さえ、更に固定力を高めることが出来るドライバー保持、固定する構造、方式のドライバー固定アダプター。
【請求項２】
板の内側に溝が切ってあり、ドライバーの柄の部分の１部分がその溝内部に収まったり、引っかかったりすることでドライバーを固定し易くなっている前記請求項１記載のドライバー押さえ板。
【請求項３】
ボルト締めにより押さえ板を移動してドライバーを挟みこんで固定する前記請求項１記載のドライバー保持、固定方式。
【請求項４】
押さえ板に設置した複数個のボルトやネジで固定力を高めている前記請求項１記載のドライバー押さえ板。
【請求項５】
アダプターの輪切り断面形状は、ほぼドライバーの柄の断面と同じ形状でくり抜かれ、溝部にドライバーの突起箇所が収まったり、引っかかることでねじり回転への耐性を持ち、その断面形状の長さはドライバーが凸形状の金ベース板に直角に保てる長さのあるドライバー固定アダプター。
【発明の詳細な説明】
【技術分野】
【０００１】工具分野、ドライバー用接続用アダプター
【背景技術】回転アシスト付きドライバー（添付図１）
【発明の開示】
【発明が解決しようとする課題】
【０００２】上記、回転アシスト付きドライバーは基本的に専用のドライバーのみ使用できるようになっています。
具体的に説明すると、回転アシストの力が伝わり易いように、回転アシストのドライバー接続部は四角であり、サイズも固定されており、従ってドライバーの接続部も、それに対応した四角い接続用形状で、サイズも上記に対応したサイズのみになっています。
上記種類のドライバーだけでは、種類が十分とはいえません。
市販されているドライバーには様々な形状、大きさ、ビットの種類等がありますし、個人の好みもありますので、それらも接続できるようになれば、バリエーションが増え、より便利になります。
【課題を解決するための手段】
【０００３】回転アシストのチャックの中心には回転軸があり、突き出ていて、通常使用時は、その先端がドライバーのソケット穴に挿し込まれてドライバーが連結されていますが、その部分に、ドライバーの代わりに接続用アダプターを連結します。
接続用アダプターの根元中心にソケット穴が切ってあり、その穴に、回転軸端末が挿入され、アダプターを連結します。
アダプターのソケット穴より先の部分は、ドライバー保持部になります。
ドライバーの柄は寸法、形状が様々ですので、それらに対応したものとして、下記します。
ドライバー種類（柄の部分）
▲１▼  星形断面のストレート型、
▲２▼  円断面のストレート形、
▲３▼  円断面の円錐型、なすび型（先に行く程細い、あるいは真ん中が太く、頭と先の方は細い）
上記▲１▼の対応アダプターは、断面が星型にくり抜いたもので、ドライバーの星型６角形の頂点が引っかかる形状のくり抜き型のアダプタ、サイズはドライバーのサイズ毎に用意する。
極端に言えば、ほぼ柄の断面と同じ形状でくり抜くので、  ねじり回転へ耐性力があると思われる。ストレート形状なので柄は十分に保持される。
上下左右のぶれは少ない。
上記▲２▼対応のアダプターは、の凹形状の金属板で上下から挟んで固定する。板は上下に可動する。
ナット締めなので、固定力あり。凹形状の内側の溝部の角を円状の柄に食い込ませるようにして固定する。
上記から、ドライバーねじり回転へ耐性力あると思われるが、必要があれば押さえ板にはボルトが付いていますので、それを捻れば、ネジによる固定力も追加できる。
形状はストレートなので柄は十分に保持される。上下、横へのぶれは少ない。
上記▲３▼対応のアダプターは基本的には▲２▼と同じだが、縦方向に円錐あるいはナス型の形状なので、上下左右へのぶれが起きる可能性があります。
しかし、押さえ板にはボルトが付いていますので、それを捻れば、ネジによる固定力が追加できる。
ボルトは１列ではなく２列で、前後にあり、又上下にあるので、ドライバーの横回転に加わる力、ドライバー姿勢の横ぶれ縦ぶれに対応できます。
【発明を実施する為の最良の形態】
【０００４】図１は回転アシストに四角いドライバーの付いた通常の形態で、図２はアダプタを付け、市販のドライバーを取付けた図です。図３はその横展開図です。
【０００５】図３のＡは星型断面ストレート形のドライバーで、Ｂはそのドライバを保持する為のアダプターです。
図４のＣはアダプター部分の断面図です。２点の頂点が溝部にはまっていて横回転（ドライバー回転を）受け止めています。少し弱いように見えますが図４Ｄのように縦方向に接触部分が長くあり、力を分散できます。
ドライバーの柄の部分はストレート形状なので、上下左右へのぐら付きはありません。
【０００６】図５は、縦方向に円錐あるいは、ナス型の形状のドライバー保持するアダプターの詳細図です。
図５（２）のＥは回転アシストに接続する為のソケット穴で、図６Ｆは回転軸の端末が挿入された図です。図５のＰの幅は図６のＧの幅に対応していて、ピッタリと入り、アダプターにかかるドライバー回転の力が図６Ｇにかかるようになっています。
【０００７】図５のＨはドライバー押さえ板の上下移動および押さえ用ネジです。
図５の（１）のＩはネジが上下に１個ずつの場合を示し図５の（１）のＪは上下に２個ずつの場合を示しています。
ドライバー径が小さい場合ネジが上下に１個ずつ、ドライバー径が大きい場合ネジが上下に２個ずつで対応します。
どちらも手締めが基本ですが、横からペンチで締めることも可能です。
ネジが上下に２個ずつのタイプは、回転アシストのチャック羽の幅の外側の位置にネジが位置しますので、上から６角レンチ等使用可能です。
【０００８】図５のＫはドライバー押さえ板部分です。
図５のＨの（即ちＩも）ドライバー押さえ板を締めることによりドライバーを締め押さえます。図５Ｌはその押さえ板内側のドライバー押さえ点です。図では上下４点で押さえています。
図３のように縦方向にストレートな形状のドライバーであれば、ドライバー押さえ板を締めることにより上下４点というより上下４面を押さえることが可能ですが、図５（３）のドライバーは図３のように縦方向にストレートな形状ではないので、図５Ｍ部あるいはドライバーの先端部Ｎが上下左右にぶれる可能性があります。
その場合は図５のＯネジを締めることにより、一定の位置に固定することができます。
【発明の効果】
アダプターによって、様々な形状のドライバーの柄、即ち様々なドライバーを保持することが可能になります。
市販されている多種類のサイズ、形状に対応できますので、使用バリエーションが増え、便利になります。
元々持っているドライバーにも対応できるようになりますので新たにドライバー購入の必要も少なくなります。
【図面の簡単な説明】
【００１０】
【図１】通常回転アシストドライバー斜図
【図２】アダプター使用回転アシストドライバー斜図
【図３】アダプター使用回転アシストドライバー横展開図
【図４】アダプター断面図１
【図５】アダプター断面図２、構造図
【図６】アダプター２使用ドライバー装着図
【符号の説明】Ａは星型断面ストレート形のドライバーで、Ｂはそのドライバを保持する為のアダプターです。
Ｃはアダプター部分の断面図です、Ｄはドライバー縦方向の保持接触部分、Ｅは回転アシストに接続する為のソケット穴、Ｆはソケットに回転アシスト軸端末が挿入された箇所の図で、Ｇは回転アシストドライバー押さえ金具のドライバー保持ソケットのアダプター接続幅、Ｈはドライバー押さえ板の上下移動および押さえ用ネジ、Ｉはドライバー押さえ板のネジが上下に１個ずつの場合を示し、Ｊはドライバー押さえ板の移動用ネジが上下に２個ずつの場合の位置の例です。
Ｋはドライバー押さえ板、Ｌはその押さえ板内側のドライバー押さえ点、Ｍ部はなすび型ドライバーの柄の後端部、Ｎは先端部、Ｏは押さえ板のドライバー固定ネジで、Ｐはアダプターの幅を示しています。
【図１】
2011042026.tif 000003
【図２】
2011042026.tif 000004
【図３】
2011042026.tif 000005
【図４】
2011042026.tif 000006
【図５】
2011042026.tif 000007
【図６】
2011042026.tif 000008